(57)【要約】【課題】フィールド反転駆動方式のアクティブマトリクス型表示装置のユニフォーミティを改善する。【解決手段】表示装置１は、映像信号を入力する複数の入力線２と、映像信号により画像を表示する画素アレイ部３と、画素アレイ部３を駆動する垂直走査駆動回路部４１，４２及び水平走査駆動回路部５１，５２とを備えている。複数の入力線２は、奇数番目と偶数番目とで極性が異なる映像信号を平行して入力する。水平走査駆動回路部５１，５２は、一フィールドで画素アレイ部３を列に沿って少なくとも二分した片半分の画素に正極性の映像信号を書き込む一方、残り半分の画素に負極性の映像信号を書き込み、次のフィールドで、片半分の画素に負極性の映像信号を書き込む一方、残り半分の画素に正極性の映像信号を書き込む。【選択図】図１
2007041456.tif 000002
【特許請求の範囲】
【請求項１】
映像信号を入力する複数の入力線と、該映像信号により画像を表示する画素アレイ部と、該画素アレイ部を駆動する垂直走査駆動回路部及び水平走査駆動回路部とを備え、
前記画素アレイ部は、行状の選択線と、列状の信号線と、両者が交差する部分に夫々配された画素とを有し、
前記垂直走査駆動回路部は、一フィールドで行状の選択線を順次走査して行単位で画素を選択し、
前記複数の入力線は、奇数番目と偶数番目とで極性が異なる映像信号を平行して入力し、
前記水平走査駆動回路部は、列状の信号線を走査して該入力線から入力された映像信号を該選択された行の画素に書き込み、以って該画素アレイ部に画像を表示する表示装置において、
前記水平走査駆動回路部は、一フィールドで該画素アレイ部を列に沿って少なくとも二分した片半分の画素に正極性の映像信号を書き込む一方、残り半分の画素に負極性の映像信号を書き込み、
次のフィールドで、片半分の画素に負極性の映像信号を書き込む一方、残り半分の画素に正極性の映像信号を書き込み、
以って、フィールド毎に画素に書き込む映像信号の極性が反転するフィールド反転駆動を行うことを特徴とする表示装置。
【請求項２】
前記水平走査駆動回路部は、第１水平走査駆動回路と第２水平走査駆動回路とに分かれており、
前記第１水平走査駆動回路は奇数番目の入力線から入力された一方の極性の映像信号を画素アレイ部に書き込む一方、前記第２水平走査駆動回路は偶数番目の入力線から入力された反対極性の映像信号を画素アレイ部に書き込み、
前記複数の入力線は、一行分の画素に映像信号を書き込む一水平期間の前半と後半で、各映像信号の極性が反転することを特徴とする請求項１記載の表示装置。
【請求項３】
前記第１水平走査駆動回路と前記第２水平走査駆動回路は、該画素アレイ部を間にして互いに反対側に配されていることを特徴とする請求項２記載の表示装置。
【請求項４】
前記第１水平走査駆動回路と前記第２水平走査駆動回路は、該画素アレイ部に対して同じ側に配されていることを特徴とする請求項２記載の表示装置。
【請求項５】
前記水平走査駆動回路部は、該画素アレイ部を列に沿って二分した片半分の画素に映像信号を書き込む一方の水平走査駆動回路と、残り半分の画素に映像信号を書き込む他方の水平走査駆動回路とに分かれていることを特徴とする請求項１記載の表示装置。
【請求項６】
映像信号を入力する複数の入力線と、該映像信号により画像を表示する画素アレイ部と、該画素アレイ部を駆動する垂直走査駆動回路部及び水平走査駆動回路部とを備え、前記画素アレイ部は、行状の選択線と、列状の信号線と、両者が交差する部分に夫々配された画素とを有し、前記垂直走査駆動回路部は、一フィールドで行状の選択線を順次走査して行単位で画素を選択し、前記複数の入力線は、奇数番目と偶数番目とで極性が異なる映像信号を平行して入力し、前記水平走査駆動回路部は、列状の信号線を走査して該入力線から入力された映像信号を該選択された行の画素に書き込み、以って該画素アレイ部に画像を表示する表示装置の駆動方法において、
前記水平走査駆動回路部は、一フィールドで該画素アレイ部を列に沿って少なくとも二分した片半分の画素に正極性の映像信号を書き込む一方、残り半分の画素に負極性の映像信号を書き込み、
次のフィールドで、片半分の画素に負極性の映像信号を書き込む一方、残り半分の画素に正極性の映像信号を書き込み、
以って、フィールド毎に画素に書き込む映像信号の極性が反転するフィールド反転駆動を行うことを特徴とする表示装置の駆動方法。
【発明の詳細な説明】
【技術分野】
【０００１】
本発明は、アクティブマトリクス型の表示装置に関する。より詳しくは、そのフィールド反転駆動方式に関する。
【背景技術】
【０００２】
従来のアクティブマトリクス型表示装置の一例を図１０に示す。表示装置１は、映像信号を入力する複数の入力線２と、この映像信号により画像を表示する画素アレイ部３と、この画素アレイ部３を駆動する垂直走査駆動回路４１，４２および水平走査駆動回路５と、プリチャージ回路６とを備えている。画素アレイ部３は、行状の選択線３１と列状の信号線３２と、両者が交差する部分にそれぞれ配された画素３３とを有する。垂直走査駆動回路４１，４２は、一フィールドで行状の選択線３１を順次走査して行単位で画素３３を選択する。複数の入力線２は互いに平行に配されており、同極性の映像信号または奇数番目と偶数番目とで極性が異なる映像信号を平行して入力する。水平走査駆動回路５は、列状の信号線３２を走査して入力線２から入力された映像信号を選択された行の画素３３に書き込み、以って画素アレイ部３に画像を表示する。その際水平走査駆動回路５は、複数の入力線２から平行に入力された映像信号を一回のタイミングで同時に複数の信号線３２にサンプリングする。これにより水平走査駆動回路５は一回の走査タイミングで複数画素同時に映像信号を書き込むことができる。この駆動方式を本明細書では相展開と呼ぶ。図１０の例では、入力線２は６本あり、相展開数は６画素となっている。最後にプリチャージ回路６は、画素アレイ部３に映像信号を書き込む前に、予め信号線３２を充電しておく。この予備的な充電をプリチャージと呼んでいる。プリチャージは水平走査駆動回路５の書き込み負荷を軽減し画像のユニフォーミティを改善するものである。なお、図１０に示したようなアクティブマトリクス型の表示装置は、例えば以下の特許文献１に開示されている。
【特許文献１】特開２００５‐０１７５２８公報
【０００３】
図１１は、図１０に示した水平走査駆動回路５及び画素アレイ部３の具体例を示すブロック図である。図示するように、画素アレイ部３は行状の選択線３１と列状の信号線３２と両者の交差部に配された行列状の画素３３とで構成されている。図示の例では画素３３は液晶素子ＬＣとこれを駆動する薄膜トランジスタＴＦＴとで構成されている。ＴＦＴのゲートは選択線３１に接続し、ソースは信号線３２に接続し、ドレインは液晶素子ＬＣの一方の電極に接続している。液晶素子ＬＣの他方の電極は対向電位ＣＯＭに接続している。
【０００４】
一方水平走査駆動回路５は、多段接続されたシフトレジスタＳ／Ｒと、シフトレジスタの各段に対応したＣＬＫ抜き回路と、同じくシフトレジスタの各段に対応した波形整形回路ＰＡＣと、同じくシフトレジスタの各段に対応した水平スイッチＨＳＷとで構成されている。なお各水平スイッチＨＳＷは各信号線３２を入力線２に接続するものである。図示を簡略化するため入力線２は一本のみを示してあるが、前述した相展開方式では入力線２が複数本配されている。
【０００５】
かかる構成を有する水平走査駆動回路５の動作であるが、まず開始信号ＨＳＴが外部から入力される。ＨＳＴのパルスにより水平走査駆動回路５が動作状態となり、ＨＣＫ／ＨＣＫＸのクロック信号に同期して、シフトレジスタＳ／ＲがＨＳＴのパルスを順次転送することで、各段毎に転送パルスを順次生成する。生成された転送パルスのタイミングに応じてＤＣＫ１またはＤＣＫ２のサンプリングパルスを抜き取り、これが映像信号を書き込むタイミングとなる。この様にして各ＣＬＫ抜き回路でＤＣＫ１あるいはＤＣＫ２から抜き取られたサンプリングパルスは、波形整形回路（バッファ）ＰＡＣにて波形整形がなされ、十分駆動能力を持ったサンプリングパルスが生成される。サンプリングパルスのタイミングにて水平スイッチＨＳＷが導通し、信号線３２と入力線２が接続する。これにより映像信号が信号線３２にサンプリングされる。信号線３２にサンプリングされた映像信号は、選択された行の画素３３に書き込まれる。一般に映像信号は一度の走査タイミングで数画素同時に書き込まれる。
【発明の開示】
【発明が解決しようとする課題】
【０００６】
図１０及び図１１に示したアクティブマトリクス型の表示装置では、一般に１Ｈ反転駆動やフィールド反転駆動（１Ｆ反転駆動）が採用されている。例えば画素として液晶素子を用いた場合、直流電圧をかけ続けると液晶の特性が劣化するため交流駆動が必須となっている。この中でも１Ｆ反転駆動は、一フィールド内において画素を列方向（縦方向）に見た場合、全て同極性になるよう駆動し、次フィールドは極性を反転させることで液晶劣化を防いでいる。１Ｆ反転駆動は、縦方向で見た場合、極性が同極性であるため、隣接した画素の間で横電界の影響がなくなる。これによりリバースチルドドレインなどの配向系起因の画質不良がなくなり、ユニフォーミティレベルを高めることができる。但し、１Ｆ反転駆動は、正極性及び負極性において同レベルの映像信号電位を書き込んでも、画素電位がリークし、このリーク量が正負極性で非対称となる為、表示画面にフリッカーが現れてしまう課題がある。この為システムとしては倍速で駆動し、フリッカーを視認出来ない様にしている。
【０００７】
近年画素数の増大化が進み、解像度が密になってきている。高解像度になると個々の画素に割り当てられる書き込み時間が短くなる。このため一度のタイミングで書き込む画素数を増やして対応している。換言すると相展開数が増えることになる。一度に書き込む画素数が増えた場合、１Ｆ反転駆動では横方向で見た場合、同極性の電位が一斉に書き込まれる為、同極性の映像信号の揺れやノイズがパネル内の寄生容量を通してカップリングを起こし、横ストロークやウインドウ帯と呼ばれる画質不良が発生しやすくなる。この様に１Ｆ反転駆動を採用した高解像度のパネルの駆動では、信号線の相展開数が多くなることで、書き込み時に発生する同極性信号電位の揺れが隣接画素に蓄積され、ユニフォーミティのレベルが悪化するという課題があった。
【課題を解決するための手段】
【０００８】
上述した従来の技術の課題に鑑み、本発明は１Ｆ反転駆動方式のアクティブマトリクス型表示装置においてそのユニフォーミティを改善することを目的とする。かかる目的を達成する為に以下の手段を講じた。即ち本発明は、映像信号を入力する複数の入力線と、該映像信号により画像を表示する画素アレイ部と、該画素アレイ部を駆動する垂直走査駆動回路部及び水平走査駆動回路部とを備え、前記画素アレイ部は、行状の選択線と、列状の信号線と、両者が交差する部分に夫々配された画素とを有し、前記垂直走査駆動回路部は、一フィールドで行状の選択線を順次走査して行単位で画素を選択し、前記複数の入力線は、奇数番目と偶数番目とで極性が異なる映像信号を平行して入力し、前記水平走査駆動回路部は、列状の信号線を走査して該入力線から入力された映像信号を該選択された行の画素に書き込み、以って該画素アレイ部に画像を表示する表示装置において、前記水平走査駆動回路部は、一フィールドで該画素アレイ部を列に沿って少なくとも二分した片半分の画素に正極性の映像信号を書き込む一方、残り半分の画素に負極性の映像信号を書き込み、次のフィールドで、片半分の画素に負極性の映像信号を書き込む一方、残り半分の画素に正極性の映像信号を書き込み、以って、フィールド毎に画素に書き込む映像信号の極性が反転するフィールド反転駆動を行うことを特徴とする。
【０００９】
一態様では、前記水平走査駆動回路部は、第１水平走査駆動回路と第２水平走査駆動回路とに分かれており、前記第１水平走査駆動回路は奇数番目の入力線から入力された一方の極性の映像信号を画素アレイ部に書き込む一方、前記第２水平走査駆動回路は偶数番目の入力線から入力された反対極性の映像信号を画素アレイ部に書き込み、前記複数の入力線は、一行分の画素に映像信号を書き込む一水平期間の前半と後半で、各映像信号の極性が反転する。この場合、前記第１水平走査駆動回路と前記第２水平走査駆動回路は、該画素アレイ部を間にして互いに反対側に配する。或いは、前記第１水平走査駆動回路と前記第２水平走査駆動回路は、該画素アレイ部に対して同じ側に配するようにしても良い。他の態様では、前記水平走査駆動回路部は、該画素アレイ部を列に沿って二分した片半分の画素に映像信号を書き込む一方の水平走査駆動回路と、残り半分の画素に映像信号を書き込む他方の水平走査駆動回路とに分かれている。
【００１０】
又本発明は、映像信号を入力する複数の入力線と、該映像信号により画像を表示する画素アレイ部と、該画素アレイ部を駆動する垂直走査駆動回路部及び水平走査駆動回路部とを備え、前記画素アレイ部は、行状の選択線と、列状の信号線と、両者が交差する部分に夫々配された画素とを有し、前記垂直走査駆動回路部は、一フィールドで行状の選択線を順次走査して行単位で画素を選択し、前記複数の入力線は、奇数番目と偶数番目とで極性が異なる映像信号を平行して入力し、前記水平走査駆動回路部は、列状の信号線を走査して該入力線から入力された映像信号を該選択された行の画素に書き込み、以って該画素アレイ部に画像を表示する表示装置の駆動方法において、前記水平走査駆動回路部は、一フィールドで該画素アレイ部を列に沿って少なくとも二分した片半分の画素に正極性の映像信号を書き込む一方、残り半分の画素に負極性の映像信号を書き込み、次のフィールドで、片半分の画素に負極性の映像信号を書き込む一方、残り半分の画素に正極性の映像信号を書き込み、以って、フィールド毎に画素に書き込む映像信号の極性が反転するフィールド反転駆動を行うことを特徴とする。
【発明の効果】
【００１１】
本発明によれば、アクティブマトリクス型の表示装置において、基本的に１Ｆ反転駆動を採用している。その際、画素アレイ部を縦方向に分割し、左右で反対極性の映像信号を書き込む様にしている。一フィールド毎に左右分割領域に書き込まれる映像信号の極性を反転することで、１Ｆ反転駆動を実現している。一方相展開で入力される映像信号は奇数番目と偶数番目とで極性が反対になっている。通常のドット反転入力と同様であり、互いに隣接する映像信号が逆極性で入力される。この逆極性で入力される複数の映像信号を水平走査駆動回路が左右の分割領域に分配することで１Ｆ反転駆動を実現している。本駆動方式では隣接の映像信号が逆極性になる為、その書き込みによる揺れやノイズをキャンセルすることができ、横クロストークやウインドウ帯と呼ばれるユニフォーミティレベルの悪化を抑制することが可能である。近年パネルの高解像度化や多画素化が進みユニフォーミティレベルの悪化が問題となっていたが、本発明の駆動方式によりこれらの課題を解決することが出来た。
【発明を実施するための最良の形態】
【００１２】
以下図面を参照して本発明の実施の形態を詳細に説明する。図１は本発明にかかる表示装置の第１実施形態を示す模式的なブロック図である。図示するように本表示装置１は、映像信号を入力する複数の入力線２と映像信号により画像を表示する画素アレイ部３と、この画素アレイ部３を駆動する垂直駆動回路部（４１，４２）及び水平走査駆動回路部（５１，５２）とを備えている。画素アレイ部３は、行状の選択線３１と、列状の信号線３２と、両者が交差する部分にそれぞれ配された画素３３とを有する。この画素アレイ部３の具体的な構成例は、例えば図１１に示したアクティブマトリクス型の液晶画素アレイを採用することが出来る。但し本発明はこれに限られるものではない。垂直走査駆動回路部（４１，４２）は、一フィールドで行状の選択線３１を順次走査して行単位で画素３３を選択する。本実施形態では垂直走査駆動回路部（４１，４２）は左右一対の垂直走査駆動回路４１，４２からなり、各選択線３１を左右から同時に駆動するようにしている。複数の入力線２は奇数番目と偶数番目とで極性が異なる映像信号を平行して入力する。本実施形態では入力線２の本数が６本であり、いわゆる相展開数が６となっている。但し本発明はこれに限られるものではない。水平走査駆動回路部（５１，５２）は、列状の信号線３２を走査して入力線２から入力された映像信号を選択された行の画素３３に書き込み、以って画素アレイ部３に画像を表示する。本実施形態では相展開数が６であり、水平走査駆動回路部（５１，５２）は一度の走査タイミングで６個の映像信号を同時に６本の信号線にサンプリングする。換言すると、選択された行に含まれる６個の画素に対して一度の走査タイミングで同時に映像信号を書き込む。
【００１３】
本発明の特徴事項として、水平走査駆動回路部（５１，５２）は、一フィールドで画素アレイ部３を列に沿って少なくとも二分した片半分の画素３３に正極性の映像信号を書き込む一方、残り半分の画素３３に負極性の映像信号を書き込む。次のフィールドでは片半分の画素に負極性の映像信号を書き込む一方、残り半分の画素に正極性の映像信号を書き込む。この様にして水平走査駆動回路部（５１，５２）はフィールド毎に画素３３に書き込む映像信号の極性が反転するフィールド反転駆動を行う。
【００１４】
本実施形態では水平走査駆動回路部（５１，５２）は、第１水平走査駆動回路５１と第２水平走査駆動回路５２とに分かれている。第１水平走査駆動回路５１は奇数番目の入力線２から入力された一方の極性の映像信号を画素アレイ部３に書き込む一方、第２水平走査駆動回路５２は偶数番目の入力線２から入力された反対極性の映像信号を画素アレイ部３に書き込む。この場合複数の入力線２は、一行分の画素３３に映像信号を書き込む一水平期間（１Ｈ）の前半と後半で、各映像信号の極性が反転する。本実施形態では第１水平駆動回路５１と第２水平駆動回路５２は、画素アレイ部３を間にして互いに上下反対側に配されている。
【００１５】
図２は、図１に示した第１実施形態にかかる表示装置の駆動方法の説明に供する模式図である。図２は特に６本の入力線２からそれぞれ入力される映像信号ＳＩＧ１〜ＳＩＧ６の極性変化を示している。図２は６相駆動の例であり、一水平期間内において一回の走査タイミングで書き込まれる画素数は６である。６本の入力線から入力される映像信号はＳＩＧ１〜ＳＩＧ６で表されており、±の記号はそれぞれ液晶画素に印加する信号電圧の極性を示している。本発明の駆動方式は隣接の入力線から入力される映像信号が互いに逆極性となっており、通常のドット反転入力と同じである。あるｎフィールドにおいて、奇数番目の映像信号ＳＩＧ１，ＳＩＧ３，ＳＩＧ５が＋極性であり、偶数番目の映像信号ＳＩＧ２，ＳＩＧ４，ＳＩＧ６が−極性であることを示している。また一水平期間（１Ｈ）内において、各映像信号ＳＩＧの極性が反転している。即ち１Ｈの前半と後半でＳＩＧの極性が反転する。図２では１Ｈの前半を１ｓｔで表し後半を２ｎｄで表してある。例えば奇数番目の映像信号ＳＩＧ１，３，５はｎフィールドの１ｓｔでは＋極性となっているが、２ｎｄになると極性が反転し−極性となる。偶数番目の映像信号ＳＩＧ２，４，６は奇数番目の映像信号ＳＩＧ１，３，５と逆の動きとなる。次のｎ＋１フィールドに入ると、各映像信号ＳＩＧの極性が完全に逆となるように入力される。
【００１６】
図３は、画素アレイ部３に対する映像信号の書き込み動作を模式的に表している。図示するように画素アレイ部（パネル）３は中央で二分割され、左右それぞれの領域３Ｌ，３Ｒが逆極性となるように映像信号ＳＩＧの書き込みが行われる。１Ｆ反転駆動であるため縦方向（列方向）で見た場合同極性となり、一フィールド毎に極性を反転させる。図示はｎフィールドの場合であり、パネルの左領域３Ｌに＋極性の映像信号が書き込まれる一方、右領域３Ｒには−極性の映像信号が書き込まれる。次のｎ＋１フィールドでは左領域３Ｌに−極性の信号が書き込まれ、右領域３Ｒに＋極性の信号が書き込まれる。
【００１７】
画素アレイ部３の上に配された第１水平走査駆動回路５１が選択された行の画素を左から右に向かって走査することで、奇数番目の映像信号ＳＩＧ1，３，５を順次書き込んでいく。その際、画素アレイ部３の左領域３Ｌと右領域３Ｒで極性を反転させるため、映像信号ＳＩＧ１，３，５は１Ｈの前半１ｓｔと後半２ｎｄで極性が反対になる。一方画素アレイ部３の 下側に配された第２水平走査駆動回路５２は選択された行の画素を右から左に走査して、偶数番目の映像信号ＳＩＧ２，４，６を書き込む。その際画素アレイ部３の右領域３Ｒと左領域３Ｌで書き込む映像信号の極性を反転させるため、入力映像信号ＳＩＧ２，４，６は１Ｈの前半１ｓｔと後半２ｎｄで極性が切り替わる。かかる１Ｆ反転駆動を実現させるため、パネル外部で映像信号を供給するシステム側では、映像信号ＳＩＧを一時的に蓄積するフィールドメモリが必要である。このフィールドメモリを用いてシリアルの映像信号をソートし、入力タイミングを入れ替える必要がある。
【００１８】
図４は、水平走査駆動回路部（５１，５２）の駆動タイミングを示す模式図である。選択された一行分の画素に映像信号を書き込むタイミングを表したものである。図示の例はｎフィールドで左半分の画素Ｌに＋極性を書き込み、右半分の画素Ｒに−極性を書き込んでいる。図４は水平方向の画素数が２４の例である。６相駆動の場合であり、一回の走査タイミングで６個の画素（１ｂｌｏｃｋ）に同時に映像信号を書き込む。まず水平走査駆動回路部（５１，５２）における一回目の走査タイミング（１ｓｔ走査）にて、６画素分（１ｂｌｏｃｋ）のデータを書き込む。上側の水平走査駆動回路（ドライバ）５１（左から右に向かって走査）により、奇数番目の入力線に接続された信号線には＋極性のデータ（ＳＩＧ１，３，５）が書き込まれる。また下側の水平走査駆動回路（ドライバ）５２（右から左に向かって走査）により、偶数番目の入力線に接続された信号線は−極性のデータ（ＳＩＧ２，４，６）のデータが書き込まれる。一度のタイミング（１ｓｔ走査）で上下のドライバ５１，５２から３画素ずつ合計６画素（１ｂｌｏｃｋ）が書き込まれる。同様に２ｎｄ走査にて、各３画素ずつのデータが書き込まれる。ここで１ｓｔ走査と２ｎｄ走査により、左右６画素ずつ６×２＝１２画素が書き込まれたことになる。２ｎｄ走査までで丁度画素数が半分になり、上下のドライバ５１，５２は中央の領域をまたぐことになる。図３で見た場合、丁度１ｓｔのタイミングが終了したことになる。
【００１９】
図４に戻り次の３ｒｄ走査に入ると映像信号ＳＩＧの極性が反対になる。この３ｒｄ走査では、上側のドライバ５１が中央をまたぎ＋極性から−極性の駆動になる。よって画素には−極性のデータ（ＳＩＧ１，３，５）が書き込まれる。一方下側のドライバ５２は中央をまたぎ−極性から＋極性へ移行し、画素には＋極性のデータ（ＳＩＧ２，４，６）が書き込まれる。続いて４ｔｈ走査にてそれぞれの極性のデータが書き込まれ、一行分全２４画素のデータの書き込みが終わる。この様にして中央を挟んで左右の領域Ｌ，Ｒがそれぞれ逆極性となるデータが書き込まれたことになる。この１Ｈにおける走査を一フィールド（１Ｆ）に渡って繰り返すことで、左右で極性が逆になる１Ｆ反転駆動を実現できる。次のフィールドでは映像信号の極性が左右で逆になる。本発明にかかる駆動方式では隣接する入力線間で映像信号が逆極性であるため、お互いの書き込みによる揺れやノイズをキャンセル可能であり、横クロストークやウインドウ帯と呼ばれるユニフォーミティレベルの悪化を抑制することが可能である。
【００２０】
図５は、本発明にかかる表示装置の第２実施形態を示す模式的なブロック図である。理解を容易にするため図１に示した第１実施形態と対応する部分には対応する参照番号を付してある。この第２実施形態は基本的に第１実施形態と同様であるが、異なる点は第１水平走査駆動回路５１と第２水平走査駆動回路５２が、画素アレイ部３に対して同じ上側に配されていることである。この結果画素アレイ部３の下側にはスペースが生じる。この空いたスペースに例えばプリチャージ回路を配置することが出来る。このプリチャージ回路は図１０に示した通りであり、画素アレイ部３に対して予めプリチャージを行うことで、表示画像のユニフォーミティを高めている。なお、画素アレイ部３に対して一対の水平走査駆動回路５１，５２を下側に配し、プリチャージ回路を上側に配するようにしてもよい。
【００２１】
図６は、図５に示した第２実施形態の書き込み動作を示す模式図である。基本的には第１実施形態の書き込み動作を示した図３と同じであり、対応する参照番号を用いてある。図示するように第１水平走査駆動回路が左から右へ画素アレイ部３の信号線を走査する。逆に第２水平走査駆動回路は画素アレイ部３の信号線を右から左へ向かって走査する。第１水平走査駆動回路は奇数番目の映像信号ＳＩＧ１，３，５を画素に書き込む一方、第２水平走査駆動回路は偶数番目の映像信号ＳＩＧ２，４，６を画素に書き込む。画素アレイ部３に対する映像信号ＳＩＧの入力タイミングは、図４に示したタイミングチャートと同じである。
【００２２】
図７は、本発明にかかる表示装置の第３実施形態を示す模式的なブロック図である。基本的には図１及び図５に示した先の実施形態と同様であり、理解を容易にするため対応する部分には対応する参照番号を付してある。異なる点は、水平走査駆動回路部が画素アレイ部の片半分の画素に映像信号を書き込む一方の水平走査駆動回路（ＨＳＤ）５１，５３と、残り半分の画素に映像信号を書き込む他方の水平走査駆動回路（ＨＳＤ）５２，５４とに分かれていることである。本実施形態は４個のブロックに分かれた水平走査駆動回路部（５１〜５４）が全体として画素アレイ部３の上側に配置している。したがって画素アレイ部３の下側は空きスペースとなっており、この部分に必要に応じてプリチャージ回路を配置することが可能である。この点は図５に示した第２実施形態と同様である。
【００２３】
図８は第３実施形態にかかる水平走査駆動回路部の動作説明に供する模式図である。理解を容易にするため、図３及び図６と対応する部分には対応する参照番号を付してある。本実施形態も画素アレイ部３（パネル）の中央で１Ｆ反転駆動となるように分割されている。左側の領域３Ｌに対応して二つの水平走査駆動回路５１，５３が配置されている。右側の領域３Ｒに対応して二つの水平走査駆動回路５２，５４が配置されている。図８のフィールドでは、第１水平動作駆動回路５１及び第３水平走査駆動回路５３が左側領域３Ｌに＋極性の映像信号を書き込んでいる。第１水平走査駆動回路５１は奇数番目の入力線に接続しており、一フィールドの前半1ｓｔで映像信号ＳＩＧ１，３，５を書き込む。第３水平走査駆動回路５３は偶数番目の入力線に接続しており、一フィールドの後半２ｎｄで映像信号ＳＩＧ２，４，６を左半分の領域３Ｌに書き込む。
【００２４】
一方第２水平走査駆動回路５２及び第４水平走査駆動回路５４が右側の領域３Ｒに−極性の映像信号を書き込む。第２水平走査駆動回路５２は偶数番目の入力線に接続されており、フィールドの前半１ｓｔで映像信号ＳＩＧ２，４，６を領域３Ｒに書き込む。第４水平走査駆動回路５４は奇数番目の入力線に接続しており、フィールドの後半２ｎｄで映像信号ＳＩＧ１，３，５を領域３Ｒに書き込む。
【００２５】
第１水平走査駆動回路５１は左から右へ向かって中央まで画素アレイ部３を走査する。次のクロックのタイミングにて第３水平走査駆動回路５３は画素アレイ部３を右から左へ向かって走査する。入力線は奇数番目が第１水平駆動回路５１に接続し偶数番目が第３水平駆動回路５３に接続されているため、左端から中央へ走査が進みそこから折り返して左端で走査が終了すると、最終的に片側領域３Ｌ全部に映像信号ＳＩＧ１〜６が書き込まれることになる。右側領域３Ｒでは第２水平走査駆動回路５２及び第４水平走査駆動回路５４に対する入力線の接続が奇数番目と偶数番目で逆となっており、これにより−極性を書き込むことが出来る。
【００２６】
図９は、第３実施形態の動作説明に供するタイミングチャートであり、理解を容易にするため図４に示した第１実施形態のタイミングチャートと同様な表記を採用している。一行分の画素（２４個）の左半分Ｌに対して第１水平走査駆動回路５１及び第３水平走査駆動回路５３が＋極性の映像信号を書き込む一方、右半分の画素Ｒに対して第２水平走査駆動回路５２及び第４水平走査駆動回路５４が−極性の映像信号を書き込む。一行分の画素が２４個で６相駆動を行うと、１Ｈで４回水平走査を行うことにより一行分の画素に映像信号を書き込むことが出来る。右半分の画素Ｌに着目すると、１ｓｔ走査で第１水平走査駆動回路５１が３個の画素に＋極性の映像信号を書き込む。次の２ｎｄ走査で同じく第１水平走査駆動回路５１が３個の画素に＋極性の映像信号を書き込む。この後３ｒｄ走査では第３水平走査駆動回路５３が３個の画素に＋極性の映像信号を書き込む。最後の４ｔｈ走査で同じく第３水平走査駆動回路５３が３個の画素に対して＋極性の映像信号を書き込む。この様にして、右半分の１２個の画素に全て＋極性の映像信号が書き込まれる。同様にして右半分の画素には−極性の映像信号が書き込まれる。
【図面の簡単な説明】
【００２７】
【図１】本発明にかかる表示装置の第１実施形態を示すブロック図である。
【図２】第１実施形態の動作説明に供する模式図である。
【図３】同じく第１実施形態の動作説明に供する模式図である。
【図４】第１実施形態の動作説明に供するタイミングチャートである。
【図５】本発明にかかる表示装置の第２実施形態を示すブロック図である。
【図６】第２実施形態の動作説明に供する模式図である。
【図７】本発明にかかる表示装置の第３実施形態を示すブロック図である。
【図８】第３実施形態の動作説明に供する模式図である。
【図９】第３実施形態の動作説明の供するタイミングチャートである。
【図１０】従来の表示装置の一例を示す模式図である。
【図１１】表示装置に含まれる水平走査駆動回路及び画素アレイ部の構成例を示す回路図である。
【符号の説明】
【００２８】
１・・・表示装置、２・・・入力線、３・・・画素アレイ部、５・・・水平走査駆動回路、３１・・・選択線、３２・・・信号線、３３・・・画素、４１・・・垂直走査駆動回路、４２・・・垂直走査駆動回路、５１・・・第１水平走査駆動回路、５２・・・第２水平走査駆動回路、５３・・・第３水平走査駆動回路、５４・・・第４水平走査駆動回路
【図１】
2007041456.tif 000003
【図２】
2007041456.tif 000004
【図３】
2007041456.tif 000005
【図４】
2007041456.tif 000006
【図５】
2007041456.tif 000007
【図６】
2007041456.tif 000008
【図７】
2007041456.tif 000009
【図８】
2007041456.tif 000010
【図９】
2007041456.tif 000011
【図１０】
2007041456.tif 000012
【図１１】
2007041456.tif 000013